(57)【要約】【課題】表示部に表示される表示体の趣向性を向上させることが可能な遊技機の提供を目的とする。【解決手段】本発明の遊技機１０には、図柄表示基板９０と、図柄表示基板９０を収容する基板ケース１００と、が備えられている。そして、基板ケース１００には、収容されている図柄表示基板９０を示す基板コード１１０が付されているとともに、図柄表示基板９０の表面９０Ｍに、基板コード１１０に対応する対応コード９５が印字されている。【選択図】図２
2020120866.tif 000002
【特許請求の範囲】
【請求項１】
基板と、前記基板を収容する基板ケースとを有する遊技機であって、
前記基板ケースには、前記収容されている基板を示す基板コードが付されるとともに、
前記基板の表面に、前記基板コードに対応する対応コードが印字されている遊技機。
【請求項２】
請求項１に記載の遊技機であって、
前記基板ケースには、前記基板に印字された前記対応コードと対向する位置に窓部が設けられている遊技機。
【請求項３】
請求項２に記載の遊技機であって、
基板ケースは、前記基板コードが印字されたシール部材を付してなり、
前記シール部材は透明である遊技機。
【発明の詳細な説明】
【技術分野】
【０００１】
本発明は、基板ケースに収容された基板を有する遊技機に関する。
【背景技術】
【０００２】
特許文献１の遊技機は、基板ケースに基板が収容されている。
【先行技術文献】
【特許文献】
【０００３】
【特許文献１】特開２０１４−０８３０６５号公報（段落［００７７］，図３）
【発明の概要】
【発明が解決しようとする課題】
【０００４】
上述した従来の遊技機においては、基板と基板ケースの組み合わせが合っているか容易に確認できる遊技機の開発が求められていた。
【０００５】
本発明は、上記事情に鑑みてなされたもので、基板と基板ケースの組み合わせの確認が容易な遊技機の提供を目的とする。
【課題を解決するための手段】
【０００６】
上記課題を解決するためになされた請求項１に係る遊技機は、基板と、前記基板を収容する基板ケースとを有する遊技機であって、前記基板ケースには、前記収容されている基板を示す基板コードが付されるとともに、前記基板の表面に、前記基板コードに対応する対応コードが印字されている。
【発明の効果】
【０００７】
請求項１の遊技機によれば、基板ケースに付された基板コードと、基板に付された対応コードとを照らし合わせて確認することができるので、基板ケースと基板との組み合わせがあっているか否かを確認することが容易となった。
【図面の簡単な説明】
【０００８】
【図１】本発明の一実施形態に係る遊技機の正面図
【図２】（Ａ）図柄表示基板が収容された基板ケース（Ｂ）図柄表示基板及び基板ケースの分解斜視図
【発明を実施するための形態】
【０００９】
図１に示されるように、本実施形態に係る遊技機１０は、遊技盤１１の前面にガイドレール１２で囲まれた略円形の遊技領域Ｒ１を備えている。
【００１０】
遊技盤１１の前面は、遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの上方の両側には、スピーカ２５Ｓ，２５Ｓが備えられている。また、ガラス窓１０Ｗより下方には、上皿２６及び下皿２７が上下２段にして設けられ、下皿２７の右端部には発射用ハンドル２８が設けられている。そして、発射用ハンドル２８を回動操作すると、上皿２６に収容された遊技球が遊技領域Ｒ１に向けて弾き出される。
【００１１】
遊技盤１１のうち遊技領域Ｒ１の中央には、遊技盤表示窓１１Ｈが貫通形成されており、その遊技盤表示窓１１Ｈに遊技盤１１の裏面側から表示装置１３が対向している。
【００１２】
遊技盤１１の前面中央には、表示画面１３Ｇを囲むように表示装飾枠２３が取り付けられている。表示装飾枠２３は、遊技盤１１の前面側から遊技盤表示窓１１Ｈに嵌め込まれ、遊技盤表示窓１１Ｈの内側に張り出すと共に、遊技盤１１の前面から突出している。そして、遊技領域Ｒ１を流下する遊技球が、表示装飾枠２３の外側を通過して表示装飾枠２３の内側に進入しないように構成されている。
【００１３】
遊技領域Ｒ１のうち表示装飾枠２３の下方における左右方向の中央部には、第１と第２の始動入賞口１４Ａ，１４Ｂ、大入賞口１５が、上から順に間隔を開けて並べて設けられている。始動入賞口１４Ａ，１４Ｂの横側には、ガイドレール１２に沿って一般入賞口２０が複数設けられている。各入賞口１４Ａ，１４Ｂ，１５，２０の何れにも入賞しなかった遊技球は、遊技領域Ｒ１の下端に配置されたアウト口１６に全て取り込まれる。
【００１４】
次に所要の各部位についてさらに詳説する。一般入賞口２０は、所謂、ポケット構造をなして、遊技盤１１の前面から突出した部材上面に開放しており、遊技球が丁度１つ入球可能な大きさで上方に開口している。そして、一般入賞口２０に遊技球が入ると、例えば、１０個の遊技球が賞球として上皿２６に払い出される。
【００１５】
始動ゲート１８は、遊技球が潜って通過可能な門形構造をなしている。始動ゲート１８を遊技球が通過すると、普通図柄当否判定が行われる。普通図柄当否判定は、普通図柄表示部１８Ｈにて変動表示後に判定結果が停止表示される。詳細には、普通図柄表示部１８Ｈを構成する１つのＬＥＤが、普通図柄変動中は点灯と消灯を繰り返し（点滅し）、普通図柄外れの場合消灯して非点灯状態となり、前記した普通図柄当否判定の結果が当り（以下「普通図柄当り」と呼ぶ）の場合点灯して停止表示する。この停止表示は、次の変動表示が開始されるまで続けられる。
【００１６】
普通図柄表示部１８Ｈが変動表示の最中に始動ゲート１８を遊技球が通過した場合、その通過球は最大で４個まで保留記憶され、その保留球数は、普通図柄保留表示部１８Ｘにて表示される。詳細には、普通図柄保留表示部１８Ｘの２つのＬＥＤによって、消灯、点灯、点滅を組み合わせて、普通図柄保留球数（０〜４個）を表示する。そして、普通図柄表示部１８Ｈの変動表示が終了すると、その保留記憶に基づいて再び普通図柄表示部１８Ｈが変動表示される。
【００１７】
各始動入賞口１４Ａ，１４Ｂに遊技球が入賞すると、例えば、４個の遊技球が賞球として上皿２６に払い出されると共に、特別図柄当否判定が行われ、表示画面１３Ｇ及び特別図柄表示部１４Ｈにおいて変動表示される。
【００１８】
具体的には、表示画面１３Ｇには、図１に示すように、通常、３つの左、中、右の装飾図柄３２Ａ，３２Ｂ，３２Ｃが横並びに表示されている。これら各装飾図柄３２Ａ，３２Ｂ，３２Ｃは、例えば、「０」〜「９」の数字を表記した複数種類のもので構成されており、通常は、各装飾図柄３２Ａ，３２Ｂ，３２Ｃごと、所定の種類のものが停止表示されている。そして、始動入賞口１４Ａ，１４Ｂに遊技球が入賞したときに、これら３つの装飾図柄３２Ａ，３２Ｂ，３２Ｃが、上下方向にスクロール表示され、所定時間後に、例えば、左、中、右の順で各装飾図柄３２Ａ，３２Ｂ，３２Ｃが停止表示される。
【００１９】
そして、特別図柄表示部１４Ｈにおいても、変動表示後に判定結果が停止表示される。特別図柄表示部１４Ｈは、２つの７セグメント表示器にて構成され、特別図柄変動中は「−」が点滅表示され、特別図柄当否判定の結果が当りの場合、数字とアルファベットの組み合わせによって表示され、外れの場合、「−−」が表示される。この停止表示は、次の変動表示が開始されるまで続けられる。
【００２０】
特別図柄表示部１４Ｈ及び表示画面１３Ｇにおいて変動表示又は「大当り状態」の最中に始動入賞口１４Ａ，１４Ｂに遊技球が入賞した場合、その入賞球は最大で４個まで保留記憶され、普通図柄保留表示部１８Ｘと同様に特別図柄保留表示部１４Ｘにて保留球数が表示される。そして、特別図柄表示部１４Ｈ及び装飾図柄３２Ａ，３２Ｂ，３２Ｃが停止表示又は「大当り状態」が終了すると、その保留記憶に基づいて再び特別図柄表示部１４Ｈ及び装飾図柄３２Ａ，３２Ｂ，３２Ｃが変動表示される。
【００２１】
大入賞口１５は、横長矩形に形成されて、通常時は、可動扉１５Ｔにて閉塞されている。そして、大当り状態となると、可動扉１５Ｔが前側に倒れて、可動扉１５Ｔを案内にして、大入賞口１５に遊技球が入賞可能となる。大入賞口１５に遊技球が入賞すると、例えば、１５個の遊技球が賞球として上皿２６に払い出される。
【００２２】
特別図柄表示部１４Ｈ、普通図柄表示部１８Ｈ、特別図柄保留表示部１４Ｘ，普通図柄保留表示部１８Ｘは、図柄表示基板９０に配置されたＬＥＤで構成され、主制御基板から出力されたデータに基づいて各ＬＥＤが点灯するように構成されている。
【００２３】
図２に示されるように、図柄表示基板９０は、基板ケース１００に収容されている。基板ケース１００は図柄表示基板９０に重ねられるケース部本体１０１と、図柄表示基板９０を側方から包囲する包囲部１０２とを有する構成になっている。ケース部本体１０１の外形は図柄表示基板９０の外形と略同一に形成されている。
【００２４】
ところで、図柄表示基板９０が基板ケース１００に収容されると収容された基板がどの基板であるかわからなくなる可能性があった。ここで、本実施形態の遊技機１０は、基板ケース１００に収容されている図柄表示基板９０を示す基板コード１１０が付されている。これにより、基板ケース１００に収容されている基板が何か一目で把握することが可能となる。
【００２５】
基板コード１１０は、シール部材１１１に印字されている。そして基板コード１１０が印字されたシール部材１１１が基板ケース１００に貼付されている。基板ケース１００の部品の共有化が可能となる。具体的には、異なる機能を有する同形状の基板が複数ある場合に、各基板の対応する異なる基板コード１１０が印字されたシール部材１１１を張付すれば、同じケースであっても各基板専用の基板ケースとして使用することが可能となる。
【００２６】
なお、基板コード１１０は、文字、記号、マーク、色など自由に設定することができる。また、複数の文字、記号、マーク、色の組み合わせであってもよいし、１つの文字、記号、マーク、色で構成してもよい。
【００２７】
また、本実施形態の図柄表示基板９０の表面９０Ｍには、その表面に基板ケース１００に付された基板コード１１０と対応する対応コード９５が印字された構成になっている。これにより、図柄表示基板９０と基板ケース１００との組み合わせを容易に把握することができる。
【００２８】
さらに、基板ケース１００には、図柄表示基板９０の対応コード９５と対向する位置に窓部１０３が設けられている。これにより、基板ケース１００と図柄表示基板９０との組み合わせが合っているかを、図柄表示基板９０が基板ケース１００に収容された後でも確認することができる。
【００２９】
また、本実施形態ではシール部材１１１として透明又は透過性のあるものを用いている。これにより、図柄表示基板９０を収容した後にシール部材１１１を基板ケース１００に貼付作業を行う場合、シール部材１１１越しに図柄表示基板９０に印字されている対応コード９５を確認することができるため、貼り間違えが抑制される。
【００３０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３１】
（１）上記実施形態では、図柄表示基板９０とその基板ケース１００に対応コード９５及び基板コード１１０が付された構成であったが、図柄表示基板９０以外の基板及びその基板ケースに適用してもよい。
【００３２】
（２）上記実施形態では、基板ケース１００に基板コード１１０が印字されたシール部材１１１を貼付していたが、基板ケース１００に直接印字又はエンボス加工等を施す構成であってもよい。
【００３３】
（３）上記実施形態では、基板ケース１００のうち、図柄表示基板９０に印字された対応コード９５と対向する位置に窓部１０３が設けられていたが、窓部１０３を設けない構成であってもよい。また、基板ケース１００全体が透明部材で構成すれば、窓部１０３を設けた場合と同様の効果を得ることができる。
【符号の説明】
【００３４】
１０    遊技機
１１    遊技盤
１３    表示装置
１４Ａ，１４Ｂ    始動入賞口
１５    大入賞口
１６    アウト口
１８    始動ゲート
２０    一般入賞口
９０    図柄表示基板
９５    対応コード
１００    基板ケース
１０１    ケース部本体
１０２    包囲部
１０３    窓部
１１０    基板コード
１１１    シール部材
【図１】
2020120866.tif 000003
【図２】
2020120866.tif 000004